(57)【要約】      （修正有）【課題】ハンマーブラシの打撃により雑草、蓄砂土を削ぎとり切断して収納箱に収納することにより小型ならではの狭い場所での歩車道段差部の作業を経済的、効率的になした雑草削ぎ取り収集機を提供する。【解決手段】走行機体前部に雑草削ぎ取り部２と収納ボックスを左右に配設した雑草収集機において、削ぎ取り部はローラーブラシ軸１９、１９−２とハンマーブラシ軸１９−１、１９−３を同一軸にて前後一対として構成し、前軸は進行方向に回転させ後軸は逆回転させて雑草、蓄砂土、草根等を両軸の回転により削ぎ取り跳ね上げてローラー安全カバー端部に取付けた切刃３０にて切り砕き、切断草を吸・送風ダクト２９より収納箱５へ収集収納することを特徴とする。【選択図】図２
0003200910.tif 000002
【実用新案登録請求の範囲】
【請求項１】
走行機体前部に雑草削ぎ取り部と収納箱を左右に配設した雑草収集機において、雑草削ぎ取り部を構成するローラーブラシ軸とハンマーブラシ軸を同一軸にて回転可能となし、これら両ブラシ軸を前後一対対向して設け、前軸は進行方向に、後軸は逆方向に夫々回転するように配設すると共に、これらブラシ軸の上部を覆う前後のローラー安全カバーの端部には切刃を設け、切断草を吸・送風ダクトより収納箱へ収集収納するようにしたことを特徴とする雑草削ぎ取り収集機。
【請求項２】
ローラーブラシ軸には螺旋状のブラシを、ハンマーブラシ軸にはＶ型ハンマーを回転方向の前後に遠心力で回動できるように吊設したことを特徴とする請求項１記載の雑草削ぎ取り収集機。
【考案の詳細な説明】
【技術分野】
【０００１】
本考案は、歩道と車道の段差や公園等での段差のある場所で大型機械の作業出来難い所の雑草等の削ぎ取り収集機に関するものである。
【背景技術】
【０００２】
従来雑草、生草は擁壁下部、境界L型部が多く、特に歩道内外公園等、段差があり大型機での作業は出来難く、従来、人手に頼る作業で労力を要し、手間と危険を伴う作業であるが、環境、美観的な面にて処理する必要があった。                              
【先行技術文献】
【特許文献】
【０００３】
【特許文献１】特開２００４−１９３１６号公報
【考案の概要】
【考案が解決しようとする課題】
【０００４】
L型部に生える雑草、蓄砂土等人力、大型機械による除草、特に歩車道際に生える雑草等、削ぎ取り剥ぎ取り難いものであった。
特許文献１記載の塵芥収集機の様な小型機は見受けられるが落葉等の塵埃を収集するものであり、歩道と車道の段差や公園等での段差のある場所での雑草、蓄砂土等の削ぎ取りを行うものではない。
【課題を解決するための手段】
【０００５】
技術的手段を説明すると、走行機体前部に横設同軸2軸、起動側ローラーブラシ、起動側先端ハンマーブラシは進行方向に回転させ、遠心力により打撃削ぎ取り、剥ぎ取り回転方向V型、逆取り付けV型ハンマーブラシにより地面凹凸に接地削ぎとり、剥ぎ取る、前後軸も同様である。後軸については、進行方向逆回転、削ぎとり、剥ぎ取り両ローラーガイド天端に切刃、を設け攪拌粗細された廃棄物は吸、送風ダクトより収納箱へと収集収納を特徴としたものである。
【０００６】
次に削ぎとり収納機可動を説明すると、機動力本体エンジン動力伝達ミッションの回転変速レバーにより前、後軸は共に前述回転を得て同回転方向に対してブラシはV、逆V型ハンマーブラシ、軸取り付部は遠心力にて前後自在開き回転削ぎとりを特徴とする。
【０００７】
収納に関わる、送風、集塵風ボックス内圧排風は、分離層において排風管送風により再利用、粉塵を抑えるべく吐口に水噴霧で粉塵緩和する。
【考案の効果】
【０００８】
走行機体一般小型農業機械応用例えば、進行方向、機体前部横設接地同軸2軸、起動力側、外軸攪拌ローラーブラシ、同軸内軸ハンマーブラシ、凹凸部ひび割れ部草々も各々削ぎとり、攪拌、清掃、粉塵防止には水噴霧除去することを特徴とする雑草削ぎとり収、収集機ならではの機能である。
【図面の簡単な説明】
【０００９】
【図１】図１は草、蓄砂土削ぎとり収集機の側面図である。
【図２】図２は一部断面した平面図である。
【図３】図３は要部であるブラシローラー軸、ハンマーブラシ軸を示す平面図である。
【図４】図４は図３の符号１で示すチエーンケース内部拡大詳細図である。
【実施例１】
【００１０】
本機実施形態について説明すると、図１は、エンジン支持台１３、連結フレーム２７、走行タイヤ２６、エンジン９とし、変速レバー１０−１アクセルレバー１１回転調整において走行作業運転レバー１０で操作、１６はエンジン回転伝達ミッション、ミッション１６より走行回転主軸２４、走行タイヤ２６で１７は走行タイヤフェンダー、８は走行タイヤフェンダーステー、ミッション１６伝達する、回転ローラー正回転、逆回転可能動力伝達チエーンケース２３である。
図２及び図３にて雑草削ぎ取り部２を説明すると、前側の進行方向に回転する前側ローラーブラシ軸１９と前側ハンマーブラシ軸１９−１で構成し、後側の進行方向の逆回転する後側ローラーブラシ軸１９−２、後側ハンマーブラシ軸１９−３前後軸にて回転跳ね上げるように構成している。該前後のローラーブラシ軸１９、１９−２には螺旋ブラシ２０を植設して横送りできるようにするとともに回転分離によるこぼれ漏れ止めエッジ１５にて掬えるようにしている。収納箱５は前後各々削ぎとられ攪拌砕かれた塵芥ダクト通風口３より収納ダクト送風吸圧はより、５の収納箱排出ダクト７送風吐出し出口７−１から出水噴霧出来るようになっている。削ぎとり内攪拌、跳ね上げ送り及び内軸V型ハンマーブラシ２２の剥ぎ取り、削ぎとり跳ね上げにおいてはローラー安全カバー１８の端部に切刃３０を取リ付け３０により砕かれた塵芥等攪拌して砕かれた塵芥は吸・送風ダクト２９により収納箱５に収集される。
雑草削ぎ取り部の前軸と後軸は逆回転することで、前後ともに回転カ、遠心力により跳ね上げられてローラー安全カバーに設けた切刃３０により細粗砕くようになっている。
図３の詳細図に示すように、Ｖ型ハンマーブラシ２２により凹凸部ひび割れ部等に打撃による遠心力により回転方向の前後自在叩き削ぎ、剥ぎ取るようになっている。
図４においては、同軸２、２軸受け部６、同軸２軸受け部詳細図、前軸２軸を構成、後軸も回転方向に対して、Ｖ型ブラシは回転方向前後自在Ｖ、逆Ｖ取り付けハンマーブラシ２２で回転削ぎ取り、ローラー安全カバー１８内で攪拌しながら切刃３０により砕き処理を構成配置、雑草蓄砂土等除去する雑草削ぎとり収集機である。
【００１１】
次に、削ぎとり、剥ぎ取り収集機可動を説明すると動力源であるエンジン９動力伝達するミッション１６、変速レバー１０−１により適度に調整、動力伝達チエーンケース２３、チエーンケース内同軸軸受１２、１４各々前後のローラーブラシ軸１９、１９−２およびハンマーブラシ軸１９−１、１９−３に回転を伝達し２軸の前軸、後軸共回転により、削ぎとり剥ぎ取り除去清掃をする。
【００１２】
本機特徴の削ぎとり、剥ぎ取り回転跳ね上げ切刃３０により砕かれた塵芥(塵汚)は塵芥ダクト通風口３を経て吸・排風ダクト２９よりチエーンケース側収納箱５に収納する。
１        本体
２        雑草削ぎ取り部
５        収納箱
８        ローラー安全カバー
１９      前側ローラーブラシ軸
１９−１  前側ハンマーブラシ軸
１９−２  後側ローラーブラシ軸
１９−３  後側ハンマーブラシ軸
２０      螺旋ブラシ
２２      Ｖ型ハンマーブラシ
２９      吸・送風ダクト
３０      切刃                    
【図１】
0003200910.tif 000003
【図２】
0003200910.tif 000004
【図３】
0003200910.tif 000005
【図４】
0003200910.tif 000006